【手続補正書】
【提出日】平成24年8月3日(2012.8.3)
【手続補正１】
【補正対象書類名】特許請求の範囲
【補正対象項目名】全文
【補正方法】変更
【補正の内容】
【特許請求の範囲】
【請求項１】
内部容積に誘導炉を形成する閉鎖位置にある際、少なくとも一つのシングルターンコイルを形成する開放可能なボックス状の誘導コイルであって、該開放可能なボックス状の誘導コイルの少なくとも二つの対向する可動側部の枢動開放を可能にする一組の枢動接続部を有し、かつ、少なくとも一組の電源端子接続部を有する開放可能なボックス状の誘導コイル。
【請求項２】
前記開放可能なボックス状の誘導コイルの内側面に裏張りされた耐火物を更に備える請求項１の開放可能なボックス状の誘導コイル。
【請求項３】
前記開放可能なボックス状の誘導コイルを包囲するボックス状の電磁気的に遮蔽された包囲体を更に備え、該ボックス状の電磁気的に遮蔽された包囲体は、前記開放可能なボックス状の誘導コイルの前記少なくとも二つの対向する可動側部各々に対面する可動側部区域を有し、該ボックス状の電磁気的に遮蔽された包囲体の可動側部区域は、該可動側部区域が、該可動側部区域の据え付けられる面から少なくとも部分的に移動した際、該可動側部区域の据え付けられる面を少なくとも部分的に通じて、前記開放可能なボックス状の誘導コイルの前記少なくとも二つの対向する可動側部が開放することを許容する請求項１又は２の開放可能なボックス状の誘導コイル。
【請求項４】
前記開放可能なボックス状の誘導コイルの前記少なくとも二つの対向する可動側部の外側周囲と、該開放可能なボックス状の誘導コイルの少なくとも二つの対向する可動側部の前記外側周囲に隣り合う、ボックス状の電磁気的に遮蔽された包囲体の内側周囲との間の領域に少なくとも一つの空隙を更に備える請求項３の開放可能なボックス状の誘導コイル。
【請求項５】
前記開放可能なボックス状の誘導コイルが閉鎖位置にある際、前記少なくとも一つの空隙各々を封止するため、前記少なくとも一つの空隙各々の前記領域において、前記開放可能なボックス状の誘導コイルの少なくとも二つの対向する可動側部の前記外側周囲又はボックス状の電磁気的に遮蔽された包囲体の前記内側周囲に取り付けられた可撓性又は圧縮性の材料を更に備える請求項４の開放可能なボックス状の誘導コイル。
【請求項６】
前記少なくとも一つの空隙各々を通じて気体の流れを供給するための手段を更に備える請求項４の開放可能なボックス状の誘導コイル。
【請求項７】
前記気体の流れを供給するための手段は、
前記少なくとも一つの空隙各々の前記領域において、開放可能なボックス状の誘導コイルの少なくとも二つの対向する可動側部の前記外側周囲又はボックス状の電磁気的に遮蔽された包囲体の前記内側周囲に対し横方向に配置される分配導管と、
前記分配導管に前記気体を供給する気体源とを備え、
前記分配導管は少なくとも一つの出口通路を有し、該少なくとも一つ出口通路は、開放可能なボックス状の誘導コイルが閉鎖位置にある際、前記気体の流れを該少なくとも一つの出口通路から前記少なくとも一つの空隙に向ける請求項６の開放可能なボックス状の誘導コイル。
【請求項８】
前記気体の流れを前記空隙に向けるため、前記少なくとも一つの空隙各々の前記領域において、開放可能なボックス状の誘導コイルの少なくとも二つの対向する可動側部の前記外側周囲又はボックス状の電磁気的に遮蔽された包囲体の前記内側周囲に配置された少なくとも一つのバッフルを更に備える請求項７の開放可能なボックス状の誘導コイル。
【請求項９】
前記開放可能なボックス状の誘導コイルの少なくとも二つの対向する可動側部の前記外側周囲に隣り合う、ボックス状の電磁気的に遮蔽された包囲体の前記内側領域は、ボックス状の電磁気的に遮蔽された包囲体内の加工品入力通路及び加工品出口通路から形成され、加工品入力通路及び加工品出口通路は、開放可能なボックス状の誘導コイルの対向する側部に配置される請求項４〜８のいずれか１項の開放可能なボックス状の誘導コイル。
【請求項１０】
前記開放可能なボックス状の誘導コイルの少なくとも二つの対向する可動側部の少なくとも一方は、可撓性導電材料から形成され、該開放可能なボックス状の誘導コイルは、開放可能なボックス状の誘導コイルの少なくとも二つの対向する可動側部の前記少なくとも一方を曲げるためのアクチュエータを更に備える請求項１〜９のいずれか１項の開放可能なボックス状の誘導コイル。
【請求項１１】
前記開放可能なボックス状の誘導コイルの長さに沿って並列に接続されかつ分散されるタンクコンデンサのバンクを更に備え、該並列に接続されたタンクコンデンサのバンクは、前記少なくとも一組の電源端子接続部に対して接続される請求項１〜１０のいずれか１項の開放可能なボックス状の誘導コイル。
【請求項１２】
前記少なくとも一つのシングルターンコイルは、一組のシングルターンコイルから成り、前記少なくとも一組の電源端子接続部は、前記一組のシングルターンコイルの各シングルターンコイルに対して一組の電源端子接続部を備え、
前記開放可能なボックス状の誘導コイルは、
前記一組のシングルターンコイルの各シングルターンコイルの長さに沿って並列に接続されかつ分散されるタンクコンデンサの別個のバンクにして、タンクコンデンサの前記別個のバンク各々が、前記一組のシングルターンコイルのそれぞれのシングルターンコイルの前記一組の電源端子接続部に対して接続されるタンクコンデンサの別個のバンクと、
一組の相互に連結されたインバータにして、該一組の相互に連結されたインバータの各インバータの交流出力部がタンクコンデンサの前記別個のバンクの一つに対して専ら接続される一組の相互に連結されたインバータと、
前記一組の相互に連結されたインバータに対する入力部に対して接続されるＤＣ出力部を有する整流器とを備える請求項１又は２の開放可能なボックス状の誘導コイル。
【請求項１３】
前記電磁気的に遮蔽された誘導組立体を通過するストリップ材料の電気誘導加熱のための電磁気的に遮蔽された誘導組立体であって、
閉鎖位置にある際、内部容積に誘導炉を形成する開放可能なボックス状の誘導コイルにして、該開放可能なボックス状の誘導コイルの少なくとも二つの対向する可動側部の枢動開放を可能にする一組の枢動接続部を有し、かつ、少なくとも一組の電源端子接続部を有する開放可能なボックス状の誘導コイルと、
前記開放可能なボックス状の誘導コイルを包囲するボックス状の電磁気的に遮蔽された包囲体とを備え、
前記ボックス状の電磁気的に遮蔽された包囲体は、
前記開放可能なボックス状の誘導コイルの前記少なくとも二つの対向する可動側部各々に対面する可動側部区域にして、該可動側部区域が、該可動側部区域の据え付けられる面から少なくとも部分的に移動した際、該可動側部区域の据え付けられる面を少なくとも部分的に通じて、前記開放可能なボックス状の誘導コイルの前記少なくとも二つの対向する可動側部が開放することを許容する該可動側部区域と、
ボックス状の電磁気的に遮蔽された包囲体内の加工品入力通路及び加工品出口通路にして、開放可能なボックス状の誘導コイルの対向する側部に配置され、該加工品入力通路及び加工品出口通路、及び前記誘導炉の内部容積が、加工品が電磁気的に遮蔽された包囲体を通る通路を形成する該加工品入力通路及び加工品出口通路と、
前記開放可能なボックス状の誘導コイルの前記少なくとも二つの対向する可動側部の外側周囲と、前記加工品入力通路及び加工品出口通路の内側周囲との間の領域における少なくとも一つの空隙とを備える電磁気的に遮蔽された誘導組立体。
【請求項１４】
前記少なくとも一つの空隙各々を通じて気体の流れを供給するための手段を更に備える請求項１３の電磁気的に遮蔽された誘導組立体。
【請求項１５】
前記気体の流れを供給するための手段は、
前記少なくとも一つの空隙各々の前記領域において、開放可能なボックス状の誘導コイルの少なくとも二つの対向する可動側部の前記外側周囲又は加工品入力通路及び加工品出口通路の前記内側周囲に対し横方向に配置される分配導管と、
前記分配導管に前記気体を供給する気体源とを備え、
前記分配導管は少なくとも一つの出口通路を有し、該少なくとも一つ出口通路は、開放可能なボックス状の誘導コイルが閉鎖位置にある際、前記気体の流れを該少なくとも一つの出口通路から前記少なくとも一つの空隙に向ける請求項１４の電磁気的に遮蔽された誘導組立体。
【請求項１６】
開放可能なボックス状の誘導コイルにより加工品を誘導加熱する方法にして、開放可能なボックス状の誘導コイルが、該開放可能なボックス状の誘導コイルの少なくとも二つの対向する可動側部の枢動開放を可能にする一組の枢動接続部を有し、かつボックス状の電磁気的に遮蔽された包囲体内に配置される方法であって、
前記開放可能なボックス状の誘導コイルが閉鎖位置にある際、開放可能なボックス状の誘導コイルの前記少なくとも二つの対向する可動側部の外側周囲と、前記ボックス状の電磁気的に遮蔽された包囲体との間において少なくとも部分的に、少なくとも一つの空隙を設ける工程と、
前記少なくとも一つの空隙各々を横切って、前記閉鎖位置にある際の前記開放可能なボックス状の誘導コイルの内部容積、及び前記ボックス状の電磁気的に遮蔽された包囲体の境界領域へと気体の流れを供給する工程と、
前記開放可能なボックス状の誘導コイルに交流を供給する工程と、
前記ボックス状の電磁気的に遮蔽された包囲体内に配置された、前記閉鎖位置にある際の前記開放可能なボックス状の誘導コイルを通じて加工品を移動させる工程とを含む方法。
【請求項１７】
前記開放可能なボックス状の誘導コイルに対する一組の電源端子の長さにわたって並列に複数のタンクコンデンサを分散配置する工程を更に含む請求項１６の方法。
【請求項１８】
前記開放可能なボックス状の誘導コイルを一組のシングルターンコイルから形成する工程を更に含む請求項１７の方法。
【請求項１９】
前記一組のシングルターンコイルの各々の前記一組の電源端子に対し、専ら一組の相互に連結されたインバータの一つの出力部から、交流を供給する工程を更に含む請求項１８の方法。
【請求項２０】
単一の直流源から前記一組の相互に連結されたインバータの入力部に電力を供給する工程を更に含む請求項１９の方法。